(57)【要約】【課題】自己及び他の画像処理装置において設定値を簡便に共通にすることができる画像処理装置、画像処理システム及び画像処理プログラムを提供する。【解決手段】画像処理システム１は、設定シート等の原稿を光学的に読み取る第１乃至第ｎのスキャナ２−１〜２−ｎと、プリンタ設定情報３０に従って印刷処理を行う第１乃至第ｎのプリンタ３−１〜３−ｎと、画像処理装置群を相互に接続するネットワーク４とからなる。スキャナ２は、スキャナ設定情報２１０を記憶する記憶部２１と、設定値を変更するように指示する設定指示情報に基づいてスキャナ設定情報２１０を変更する設定情報管理手段２００Ａと、その設定指示情報を設定コマンドとして他の画像処理装置に出力する設定コマンド生成手段２０３とを備える。【選択図】図１
2009212694.tif 000002
【特許請求の範囲】
【請求項１】
画像処理に関する設定項目の設定値を記憶する記憶手段と、
前記設定値を変更するように指示する設定指示情報を受け付ける受付手段と、
前記受付手段により受け付けられた前記設定指示情報に基づいて、前記記憶手段が記憶する前記設定値を変更する変更手段と、
前記受付手段により受け付けられた前記設定指示情報を他の画像処理装置に出力する出力手段とを備えた画像処理装置。
【請求項２】
前記出力手段が前記設定指示情報を出力する前記他の画像処理装置は、複数の画像処理装置である請求項１に記載の画像処理装置。
【請求項３】
さらに、前記他の画像処理装置において前記複数の設定項目に設定されている設定値からなる一覧情報を生成する生成手段と、
前記生成手段により生成された前記一覧情報に基づいて、前記設定値が共通に設定される可能性を示す指標値を前記設定項目毎に算出し、前記指標値が所定の閾値を超えている設定項目を抽出する抽出手段とを備え、
前記受付手段は、前記抽出手段により抽出された前記設定項目に対して前記設定値を変更するように指示する前記設定指示情報を受け付ける請求項１に記載の画像処理装置。
【請求項４】
前記抽出手段は、自己及び前記他の画像処理装置からなる画像処理装置群を区分けする所定の区分け単位毎に前記設定項目を抽出する請求項３に記載の画像処理装置。
【請求項５】
画像処理に関する設定項目の設定値を記憶する記憶手段、前記設定値を変更するように指示する設定指示情報を受け付ける受付手段、前記受付手段により受け付けられた前記設定指示情報に基づいて、前記記憶手段が記憶する前記設定値を変更する変更手段、及び前記受付手段により受け付けられた前記設定指示情報を互いに接続されている他の画像処理装置に出力する出力手段を有する複数の画像処理装置と、
前記複数の画像処理装置を互いに接続する通信手段とを備えた画像処理システム。
【請求項６】
さらに、前記設定指示情報を指定するための設定用紙を印刷する印刷手段、及び前記印刷手段により印刷された設定用紙上から設定指示情報を読み取る読取手段が、前記複数の画像処理装置のうちいずれかの画像処理装置に備えられ、
前記画像処理装置が有する受付手段は、前記読取手段により読み取られた前記設定指示情報を受け付ける請求項５に記載の画像処理システム。
【請求項７】
記憶手段が記憶する画像処理に関する設定項目の設定値を変更するように指示する設定指示情報を受け付ける受付ステップと、
前記受付ステップにより受け付けられた前記設定指示情報に基づいて、前記記憶手段が記憶する前記設定値を変更する変更ステップと、
前記受付ステップにより受け付けられた前記設定指示情報を他の画像処理装置に出力する出力ステップとをコンピュータに実行させるための画像処理プログラム。
【発明の詳細な説明】
【技術分野】
【０００１】
本発明は、画像処理装置、画像処理システム及び画像処理プログラムに関する。
【背景技術】
【０００２】
従来、画像処理装置の設定モードを変更するための設定用シートに記入された内容を読み取って、その記入内容に応じてモード設定を行う画像処理装置が提案されている（例えば、特許文献１参照。）。
【０００３】
この画像処理装置は、画像を読み取るスキャナによって設定用シートの画像を読み取り、この設定用シートに記入された内容に応じて自動的にモード設定を行う手段を備える。これにより、設定対象の画像処理装置に対するモード設定を行うことができる。
【特許文献１】特開平５−１１２０６４号公報
【発明の開示】
【発明が解決しようとする課題】
【０００４】
本発明の目的は、本構成を有していない場合に比較して、自己及び他の画像処理装置において設定値を簡便に共通にすることができる画像処理装置、画像処理システム及び画像処理プログラムを提供することにある。
【課題を解決するための手段】
【０００５】
本発明の一態様は、上記目的を達成するため、以下の画像処理装置、画像処理システム及び画像処理プログラムを提供する。
【０００６】
［１］画像処理に関する設定項目の設定値を記憶する記憶手段と、前記設定値を変更するように指示する設定指示情報を受け付ける受付手段と、前記受付手段により受け付けられた前記設定指示情報に基づいて、前記記憶手段が記憶する前記設定値を変更する変更手段と、前記受付手段により受け付けられた前記設定指示情報を他の画像処理装置に出力する出力手段とを備えた画像処理装置。
【０００７】
［２］前記出力手段が前記設定指示情報を出力する前記他の画像処理装置は、複数の画像処理装置である前記［１］に記載の画像処理装置。
【０００８】
［３］さらに、前記他の画像処理装置において前記複数の設定項目に設定されている設定値からなる一覧情報を生成する生成手段と、前記生成手段により生成された前記一覧情報に基づいて、前記設定値が共通に設定される可能性を示す指標値を前記設定項目毎に算出し、前記指標値が所定の閾値を超えている設定項目を抽出する抽出手段とを備え、前記受付手段は、前記抽出手段により抽出された前記設定項目に対して前記設定値を変更するように指示する前記設定指示情報を受け付ける前記［１］に記載の画像処理装置。
【０００９】
［４］前記抽出手段は、自己及び前記他の画像処理装置からなる画像処理装置群を区分けする所定の区分け単位毎に前記設定項目を抽出する前記［３］に記載の画像処理装置。
【００１０】
［５］画像処理に関する設定項目の設定値を記憶する記憶手段、前記設定値を変更するように指示する設定指示情報を受け付ける受付手段、前記受付手段により受け付けられた前記設定指示情報に基づいて、前記記憶手段が記憶する前記設定値を変更する変更手段、及び前記受付手段により受け付けられた前記設定指示情報を互いに接続されている他の画像処理装置に出力する出力手段を有する複数の画像処理装置と、前記複数の画像処理装置を互いに接続する通信手段とを備えた画像処理システム。
【００１１】
［６］さらに、前記設定指示情報を指定するための設定用紙を印刷する印刷手段、及び前記印刷手段により印刷された設定用紙上から設定指示情報を読み取る読取手段が、前記複数の画像処理装置のうちいずれかの画像処理装置にそれぞれ備えられ、前記画像処理装置が有する受付手段は、前記読取手段により読み取られた前記設定指示情報を受け付ける前記［５］に記載の画像処理システム。
【００１２】
［７］記憶手段が記憶する画像処理に関する設定項目の設定値を変更するように指示する設定指示情報を受け付ける受付ステップと、前記受付ステップにより受け付けられた前記設定指示情報に基づいて、前記記憶手段が記憶する前記設定値を変更する変更ステップと、前記受付ステップにより受け付けられた前記設定指示情報を他の画像処理装置に出力する出力ステップとをコンピュータに実行させるための画像処理プログラム。
【発明の効果】
【００１３】
請求項１に係る画像処理装置によれば、本構成を有していない場合に比較して、自己及び他の画像処理装置において設定値を簡便に共通にすることができる。
【００１４】
請求項２に係る画像処理装置によれば、複数の画像処理装置に対して設定指示情報を一括で出力することができる。
【００１５】
請求項３に係る画像処理装置によれば、共通の設定値が設定される可能性が高い設定項目に対して設定値を共通にすることができる。
【００１６】
請求項４に係る画像処理装置によれば、複数の画像処理装置に対して所定の区分け単位毎に設定値を共通にすることができる。
【００１７】
請求項５に係る画像処理システムによれば、本構成を有していない場合に比較して、複数の画像処理装置において、設定値を簡便に共通にすることができる。
【００１８】
請求項６に係る画像処理システムによれば、記録媒体を介して共通に設定する設定値を受け付けることができる。
【００１９】
請求項７に係る画像処理プログラムによれば、本構成を有していない場合に比較して、自己及び他の画像処理装置において設定値を簡便に共通にすることができる。
【発明を実施するための最良の形態】
【００２０】
［第１の実施の形態］
図１は、本発明の第１の実施の形態に係る画像処理システムの概略構成の一例を示す全体図である。この画像処理システム１は、設定シート等の原稿を光学的に読み取って生成した読取画像に対する解析処理を行う第１乃至第ｎのスキャナ２−１〜２−ｎと、各種の印刷データに基づいて印刷処理を行う第１乃至第ｎのプリンタ３−１〜３−ｎと、第１乃至第ｎのスキャナ２−１〜２−ｎ及び第１乃至第ｎのプリンタ３−１〜３−ｎからなる画像処理装置群を相互に接続するネットワーク（通信手段）４とから構成されている。
【００２１】
第１乃至第ｎのスキャナ２−１〜２−ｎは、スキャナ設定情報２１０−１〜２１０−ｎをそれぞれ記憶し、各設定項目に対してそれぞれ指定された設定値に変更するように指示する設定指示情報に基づいて、スキャナ設定情報２１０−１〜２１０−ｎを変更する。また、スキャナ２−１〜２−ｎは、そのスキャナ設定情報２１０−１〜２１０−ｎに従って動作する画像処理装置である。
【００２２】
第１乃至第ｎのプリンタ３−１〜３−ｎは、同様に、設定指示情報に基づいて変更可能なプリンタ設定情報３０−１〜３０−ｎをそれぞれ記憶するとともに、そのプリンタ設定情報３０−１〜３０−ｎに従って動作する画像処理装置である。
【００２３】
また、第１乃至第ｎのプリンタ３−１〜３−ｎは、例えば、電子写真方式、インクジェット方式、感熱転写方式等の各種の方式を用いることができる。なお、印刷データとしては、設定シートを印刷するためのデータや、コンピュータ、携帯情報端末（ＰＤＡ）、携帯電話等の端末装置（図示せず）からネットワーク４を介して送信されるデータ等が挙げられる。
【００２４】
ネットワーク４は、有線通信及び無線通信等によりデータの送受信を行うＬＡＮ（ローカルエリアネットワーク）、インターネット等の通信網である。
【００２５】
図２（ａ）は、スキャナ設定情報２１０の一例を示す図であり、スキャナ設定情報２１０−１〜２１０−ｎの各々を示す。スキャナ設定情報２１０には、スキャナ２−１〜２−ｎの動作条件を定める情報として、複数の設定項目毎に、現在設定されている設定値が記憶されている。なお、設定値は、複数の候補の中から選択されるものでもよいし、数値等により指定されるものでもよい。
【００２６】
図２（ｂ）は、プリンタ設定情報３０の一例を示す図であり、プリンタ設定情報３０−１〜３０−ｎの各々を示す。プリンタ設定情報３０には、プリンタ３−１〜３−ｎの動作条件を定める情報として、複数の設定項目毎に、現在設定されている設定値が記憶されている。
【００２７】
スキャナ設定情報２１０及びプリンタ設定情報３０を比較すると、例えば、ネットワーク設定項目２１０ａ，３０ａは共通に存在するが、スキャナ設定項目２１０ｂは、スキャナ設定情報２１０にだけ含まれ、プリンタ設定項目３０ｂは、プリンタ設定情報３０にだけ含まれている。
【００２８】
ここで、「設定シート」とは、ユーザが上記のスキャナ設定情報２１０−１〜２１０−ｎ及びプリンタ設定情報３０−１〜３０−ｎの設定項目に設定したい設定値を選択するために、設定項目毎にその対応する候補が紙等の記録媒体に印刷されたものである。
【００２９】
なお、本実施の形態では、設定シートは、紙に印刷されるものであるが、設定シートと同等の内容を、例えば、電子メール等の通信手段を介して表示画面上に表示してもよいし、フラッシュメモリや光ディスク等の外部記録メディアに出力するようにしてもよい。
【００３０】
（スキャナ）
図３は、スキャナ２の概略構成の一例を示すブロック図であり、第１乃至第ｎのスキャナ２−１〜２−ｎの各々を示す。このスキャナ２は、各部を制御する、例えば、ＣＰＵ等により実現される制御部２０と、各種のプログラムやデータ等を記憶するＲＯＭ，ＲＡＭ，ハードディスク等により実現される記憶部２１と、ネットワーク４に接続された、例えば、ネットワークインタフェースカードにより実現される通信部２２と、ディスプレイの表面にタッチパネルを重畳して構成された、例えば、タッチパネルディスプレイや、スタートキー等のハードキーを備えた操作表示部２３と、原稿をイメージセンサ等により光学的に読み取って得た光学信号を電気信号に変換し、デジタルデータとしての読取画像を生成する読取部２４とから構成されている。
【００３１】
記憶部２１には、上記のスキャナ設定情報２１０の他に、設定一覧テーブル２１１Ａ及び画像処理プログラム２１２Ａが記憶され、画像データ記憶領域２１３が設けられている。画像データ記憶領域２１３は、読取部２４により生成された画像データが記憶される領域である。
【００３２】
制御部２０は、画像処理プログラム２１２Ａに従って動作することにより、設定情報管理手段２００Ａ、設定情報取得手段２０１、設定シート生成手段２０２及び設定コマンド生成手段２０３等として機能する。
【００３３】
設定情報管理手段２００Ａは、画像データ記憶領域２１３に記憶された画像データに対して解析処理を行うことにより、その画像データから各種の情報を取得する。また、設定情報管理手段２００Ａは、その取得した情報に応じて、設定一覧テーブル２１１Ａの変更、設定シート生成手段２０２に対する印刷データの生成命令、設定コマンド生成手段２０３に対する設定コマンドの送信命令等を行う。なお、設定一覧テーブル２１１Ａの詳細は後述する。
【００３４】
なお、上記の解析処理は、例えば、画像データにおいて予め定められた領域のパターンを切り出し、そのパターンに含まれる文字、マーク等と認識辞書とを、例えばパターンマッチング法により比較して、最も類似性の高いものを解析結果とするものである。
【００３５】
設定情報取得手段２０１は、設定情報管理手段２００Ａによる制御の下で、他の画像処理装置、すなわち、画像処理装置群のうち自己を含まない複数のスキャナ及びプリンタにそれぞれ記憶されているスキャナ設定情報２１０及びプリンタ設定情報３０を通信部２２を介して取得する。
【００３６】
設定シート生成手段２０２は、設定情報管理手段２００Ａの生成命令に基づき、必要な情報を設定一覧テーブル２１１Ａから取得して、設定シート情報を生成する。
【００３７】
設定コマンド生成手段２０３は、設定情報管理手段２００Ａの送信命令に基づき、設定指示情報を通信部２２を介して他の画像処理装置に設定コマンドとして送信する。なお、設定コマンドは、他の画像処理装置に一括して送信する他に、複数回に分けて送信してもよい。また、例えば、第１のスキャナ２−１から第２のスキャナ２−２に送信し、さらに、第２のスキャナ２−２から第３のスキャナ２−３に送信するようにして、他の画像処理装置に順番に伝達するようにしてもよい。
【００３８】
図４は、記憶部２１に記憶されている設定一覧テーブル２１１Ａの一例を示す図である。この設定一覧テーブル２１１Ａには、ネットワーク４に接続されている画像処理装置群についての設定情報が、画像処理装置毎に記憶されている。
【００３９】
（第１の実施の形態の動作）
本発明の第１の実施の形態に係る画像処理システム１の動作の一例を図５〜図９を参照して説明する。ここでは、ユーザが、第１のスキャナ２−１及び第１のプリンタ３−１を用いた場合について、図７のフローチャートに従って説明する。
【００４０】
まず、ユーザが、第１のスキャナ２−１を操作して共通設定シートの出力指示を行うと（Ｓ１）、制御部２０は、その出力指示を受け付けて、画像処理装置群において共通の設定値を設定する設定項目である共通項目を指定するための共通項目指定シートの印刷データを生成する（Ｓ２）。
【００４１】
この共通項目指定シートの印刷データの生成処理（Ｓ２）の詳細について、図８（ａ）のフローチャートに従って説明すると、制御部２０は、操作表示部２３を介して出力指示を受け付けると（Ｓ１００）、設定情報取得手段２０１は、他の画像処理装置に対して設定情報を送信するように要求する設定情報送信要求を通信部２２によりネットワーク４を送り、その設定情報送信要求に対する返信として他の画像処理装置から設定情報を取得する（Ｓ１０１）。
【００４２】
次に、設定情報取得手段２０１は、その取得した設定情報を設定情報管理手段２００Ａに送ると、設定情報管理手段２００Ａは、その設定情報を設定一覧テーブル２１１Ａに記憶する（Ｓ１０２）。
【００４３】
次に、設定情報管理手段２００Ａは、設定シート生成手段２０２に対して共通項目指定シートの印刷データの生成命令を送る。そして、設定シート生成手段２０２は、その生成命令を受け取ると、設定一覧テーブル２１１Ａから設定項目の一覧を取得して、その設定項目を所定の領域に配置した共通項目指定シートの印刷データを生成する（Ｓ１０３）。そして、設定シート生成手段２０２は、その生成した印刷データを通信部２２により第１のプリンタ３−１に送信する（Ｓ１０４）。
【００４４】
第１のプリンタ３−１は、上記のようにして生成された印刷データを受信すると、その印刷データに基づいて共通項目指定シートを印刷する（図7：Ｓ３）。
【００４５】
図５は、印刷された共通項目指定シートの一例を示す図である。この共通項目指定シート１１には、ネットワーク設定項目１１０Ａ、スキャナ設定項目１１０Ｂ及びプリンタ設定項目１１０Ｃからなる設定項目の各々に対して、共通項目に指定するためのチェックボックス１１１が印刷されている。
【００４６】
そして、ユーザが、所望のチェックボックス１１１にチェックマーク１１２を記入した共通項目指定シート１１を、第１のスキャナ２−１にセットして、操作表示部２３を介して読取指示を行うと（Ｓ４）、制御部２０は、その読取指示を受け付けて、チェックマーク１１２が記入された位置から共通項目を取得し、その取得した共通項目を含む共通設定シートの印刷データを生成する（Ｓ１０）。
【００４７】
この共通設定シートの印刷データの生成処理（Ｓ１０）の詳細について、図８（ｂ）のフローチャートに従って説明すると、制御部２０は、その読取指示を受け付けると（Ｓ１１０）、読取部２４は、その読取指示の対象である共通項目指定シート１１を読み取り、画像データを生成し（Ｓ１１１）、画像データ記憶領域２１３に記憶する。
【００４８】
次に、設定情報管理手段２００Ａは、その画像データに対して解析処理を行い、ユーザによりチェックマーク１１２が記入された位置を認識することにより、ユーザにより指定された共通項目を取得する（Ｓ１１２）。
【００４９】
次に、設定シート生成手段２０２は、その取得した共通項目と、その共通項目に対応する候補とを所定の領域に配置した共通設定シートの印刷データを生成し（Ｓ１１３）、その生成した印刷データを第１のプリンタ３−１に送信する（Ｓ１１４）。
【００５０】
そして、第１のプリンタ３−１は、その印刷データを受信すると、その印刷データに基づいて共通設定シートを印刷する（図７：Ｓ２０）。
【００５１】
図６（ａ）は、印刷された共通設定シートの一例を示す図である。この共通設定シート１２Ａには、共通項目として指定されたネットワーク設定項目１２０Ａ、スキャナ設定項目１２０Ｂ及びプリンタ設定項目１２０Ｃの各々に対応する候補１２１が、各設定項目の設定値に指定するためのチェックボックス１２２とともに印刷されている。なお、共通設定シート１２Ａは、特定の候補１２１を指定可能であればよく、チェックボックス１２２の代わりに、例えば、候補を示す文字列を囲むことにより設定値を指定するようにしてもよい。また、共通項目指定シート１１と共通設定シート１２Ａとに印刷された内容を１つの設定シートとして印刷してもよい。
【００５２】
図６（ｂ）は、固有設定シートの一例を示す図である。この固有設定シート１３Ａは、共通設定シートとは異なる固有設定シートの出力指示に基づいて印刷される設定シートであり、共通項目に指定されなかった設定項目である固有項目として、ネットワーク設定項目１３０Ａ、プリンタ設定項目１３０Ｂの各々に対応する候補１３１が、チェックボックス１３２とともに印刷されている。また、固有設定シート１３Ａには、固有設定シート１３Ａの出力指示の際に指定された装置を示す装置ＩＤ１３３が印刷されている。なお、固有設定シート１３Ａに装置ＩＤを記入する欄を設けて、ユーザが装置ＩＤを記入するようにしてもよい。
【００５３】
そして、ユーザが、共通設定シート１２Ａのチェックボックス１２２にチェックマークを記入し、その共通設定シート１２Ａを第１のスキャナ２−１にセットして、読取指示を行うと（Ｓ２１）、制御部２０は、その読取指示を受け付けて、各設定項目に対して指定された設定値を取得し、その取得した設定値に基づく設定コマンドを他の画像処理装置に送信する（Ｓ３０）。
【００５４】
なお、固有設定シート１３Ａに対する読取指示を受け付けた場合には、固有設定シート１３Ａから取得した設定値に基づく設定コマンドが、固有設定シート１３Ａの装置ＩＤ１３３により特定される画像処理装置にだけ送信される点において異なり、その他の基本的な動作は同様である。
【００５５】
ここで、上記の設定コマンドの送信処理（Ｓ３０）の詳細について、図９のフローチャートに従って説明すると、制御部２０は、その読取指示を受け付けると（Ｓ１２０）、読取部２４は、共通設定シート１２Ａを読み取り、画像データを生成し（Ｓ１２１）、画像データ記憶領域２１３に記憶する。
【００５６】
次に、設定情報管理手段２００Ａは、その画像データに対して解析処理を行い、ユーザによりチェックマーク１１２が記入された位置を認識することにより、各設定項目に対して指定された設定値である設定指示情報を受け付けて（Ｓ１２２）、その受け付けた設定指示情報に基づいて自己のスキャナ設定情報２１０を変更する（Ｓ１２３）。
【００５７】
そして、設定コマンド生成手段２０３は、その受け付けられた設定指示情報に基づいて、他の画像処理装置に設定情報を変更するように通知する設定コマンドを他の画像処理装置に送信する（Ｓ１２４）。
【００５８】
以上のようにして送信された設定コマンドを他の画像処理装置が受信すると、他の画像処理装置は、その設定コマンドに基づいて、他の画像処理装置に記憶されている設定情報２１０，３０を変更し（図７：Ｓ３１）、終了する。
【００５９】
［第２の実施の形態］
本発明の第２の実施の形態に係る画像処理システム１は、第１の実施の形態と同様に、第１乃至第ｎのスキャナ２−１〜２−ｎ、第１乃至第ｎのプリンタ３−１〜３−ｎ及びネットワーク４から構成されている。
【００６０】
本実施の形態に係る第１乃至第ｎのスキャナ２−１〜２−ｎの各々は、第１の実施の形態に係るスキャナ２と比較して、制御部２０が、画像処理装置群において同一の設定項目に対して設定されている設定値から算出される指標値に基づいて、共通項目を抽出する点において異なり、その他の構成は第１の実施の形態と同様である。
【００６１】
図１０は、本実施の形態に係るスキャナ２の概略構成の一例を示すブロック図である。このスキャナ２は、第１の実施の形態と同様の制御部２０、記憶部２１、通信部２２、操作表示部２３及び読取部２４から構成されている。
【００６２】
記憶部２１には、第１の実施の形態のスキャナ設定情報２１０及び画像データ記憶領域２１３の他に、設定一覧テーブル（一覧情報）２１１Ｂ及び画像処理プログラム２１２Ｂが記憶されている。
【００６３】
制御部２０は、画像処理プログラム２１２Ｂに従って動作することにより、第１の実施の形態と同様の設定情報取得手段２０１、設定シート生成手段２０２及び設定コマンド生成手段２０３の他に、設定情報管理手段２００Ｂ等として機能する。
【００６４】
設定情報管理手段２００Ｂは、設定一覧テーブルに基づいて、設定値が共通に設定される可能性を示す指標値として、設定項目毎に共通率を算出し、その共通率が所定の閾値を超えている設定項目を共通項目として抽出する。
【００６５】
図１１は、設定一覧テーブル２１１Ｂの一例を示す図である。この設定一覧テーブル２１１Ｂは、画像処理装置群を区分けする所定の区分け単位で設定項目を分類したものであり、全ての画像処理装置が有する機能に関する全装置一覧テーブル２１１０と、スキャナが有する機能に関するスキャナ一覧テーブル２１１１と、プリンタが有する機能に関するプリンタ一覧テーブル２１１２とを備える。
【００６６】
図１１（ａ）の全装置一覧テーブル２１１０には、全ての画像処理装置が設定項目として有する各設定項目に対する設定値が、画像処理装置毎に記憶されている。
【００６７】
共通率の列には、設定情報管理手段２００Ｂにより算出される共通率が設定項目毎に記憶されている。この共通率は、例えば、画像処理装置群として１０台の装置が存在する場合において、設定項目「ＩＰアドレス取得方法」に対する設定値として９台の装置で「ＤＨＣＰ」に設定されているときには、その設定項目に対しては「９０（％）」と算出される。
【００６８】
また、共通項目判定の列には、その算出された共通率が所定の閾値（例えば、７０）を超えているか否かに応じて、共通項目か固有項目かの判定結果が、例えば、共通項目と判定されたことを示す「○」印と固有項目と判定されたことを示す「×」印とにより記憶されている。
【００６９】
図１１（ｂ）のスキャナ一覧テーブル２１１１には、スキャナ２−１〜２−ｎが設定項目として有する各設定項目に対する設定値が、スキャナ２−１〜２−ｎ毎に記憶されている。なお、設定項目には、全装置一覧テーブル２１１０において固有項目とされた設定項目が含まれている。また、共通率及び共通項目判定の列には、上記と同様に共通率及び判定結果が記録されている。
【００７０】
図１１（ｃ）のプリンタ一覧テーブル２１１２には、プリンタ３−１〜３−ｎが設定項目として有する各設定項目に対する設定値が、スキャナ２−１〜２−ｎ毎に記憶されている。設定項目には、全装置一覧テーブル２１１０において固有項目とされた設定項目が含まれ、共通率及び共通項目判定の列には、上記と同様に共通率及び判定結果が記録されている。
【００７１】
なお、本実施の形態は、画像処理装置群を画像処理装置が有する機能毎に区分けして共通項目を抽出するものであるが、画像処理装置群を区分けする所定の区分け単位はこれに限られず、例えば、画像処理装置が設置された、建物、フロア、部屋等の場所や、複数の画像処理装置を管理する、例えば、管理者、管理部署等の管理区分等により画像処理装置群を区分けしてもよい。また、機能、場所及び管理区分等の複数の単位を組み合わせて、さらにサブグループに区分けしてもよい。
【００７２】
（第２の実施の形態の動作）
本発明の第２の実施の形態に係る画像処理システム１の動作の一例を図１２〜図１４を参照し、図１３のフローチャートに従って説明する。
【００７３】
まず、ユーザが、第１のスキャナ２−１を操作して共通設定シートの出力指示を行うと（Ｓ１）、制御部２０は、その出力指示を受け付けて、共通設定シートの印刷データを生成する（Ｓ１１）。なお、出力指示の際には、全装置における共通項目だけを出力するように指定してもよいし、スキャナ、プリンタにおける共通項目だけを出力するように指定してもよいし、それらを組み合わせて指定してもよい。
【００７４】
この生成処理（Ｓ１１）の詳細について、図１４のフローチャートに従って説明すると、制御部２０は、その出力指示を受け付けると（Ｓ２００）、設定情報取得手段２０１は、他の画像処理装置に対して設定情報送信要求を送ることにより、他の画像処理装置から設定情報を取得する（Ｓ２０１）。
【００７５】
次に、設定情報管理手段２００Ｂは、設定情報取得手段２０１により取得された設定情報を設定一覧テーブル２１１Ｂに記憶する（Ｓ２０２）。
【００７６】
次に、設定情報管理手段２００Ｂは、設定一覧テーブル２１１Ｂにおいて設定項目毎に共通率を算出する。そして、設定シート生成手段２０２は、その共通率が所定の閾値を超えている設定項目を共通項目として抽出する（Ｓ２１０）。
【００７７】
図１１に例示する設定一覧テーブル２１１Ｂにおいて、例えば、所定の閾値を「７０」とすると、共通率が「７０」を超えている３つのネットワーク設定項目「ＩＰアドレス取得方法」、「サブネットマスク」、「ゲートウェイアドレス」と、１つのプリンタ設定項目「トレイ１用紙タイプ」と、１つのスキャナ設定項目「カラーモード」とが、共通項目として抽出される。
【００７８】
次に、設定情報管理手段２００Ｂは、設定シート生成手段２０２に対して共通項目指定シートの印刷データの生成命令を送る。
【００７９】
次に、設定シート生成手段２０２は、その生成命令を受け取ると、設定情報管理手段２００Ｂにより抽出された共通項目を所定の領域に配置した共通設定シートの印刷データを生成し（Ｓ２１１）、その生成した印刷データを第１のプリンタ３−１に送信する（Ｓ２１２）。
【００８０】
そして、第１のプリンタ３−１は、その印刷データを受信すると、その印刷データに基づいて共通設定シートを印刷する（図１３：Ｓ２０）。
【００８１】
図１２（ａ）は、印刷された共通設定シートの一例を示す図である。この共通設定シート１２Ｂは、出力指示の際に、例えば、全装置、プリンタにおける共通項目を出力するように指定された場合に印刷されたものであり、その出力指示に応じてネットワーク設定項目１２０Ａ及びスキャナ設定項目１２０Ｂの各々に対応する候補１２１が、図６（ａ）と同様に、チェックボックス１２２とともに印刷されている。
【００８２】
図１２（ｂ）は、固有設定シートの一例を示す図である。この固有設定シート１３Ｂには、図６（ｂ）の固有設定シート１３Ａと同様の内容の他に、設定項目毎に、現在の設定値に設定されている現在値１３４Ａ，１３４Ｂと、その設定項目に対して最も共通に設定される可能性が高い環境値１３５Ａ，１３５Ｂと、その設定項目に対して算出された共通率１３６Ａ，１３６Ｂとが、補助情報として印刷されている。この補助情報により、ユーザは候補を設定する際に参考となる情報を把握することができる。なお、補助情報は、共通設定シート１２Ｂに印刷されていてもよい。
【００８３】
次に、ユーザは、第１の実施の形態と同様に、その共通設定シート１２Ｂに対してチェックマークを記入し、読取指示を行うと（Ｓ２１）、制御部２０は、その共通設定シート１２Ｂから受け付けた設定指示情報に基づいて、自己のスキャナ設定情報２１０を変更するとともに、設定コマンドを他の画像処理装置に送信する（Ｓ３０）。なお、ステップＳ３０の詳細は、第１の実施の形態と同様に、図９のフローチャートに従って動作するものである。
【００８４】
そして、他の画像処理装置は、その設定コマンドを受信すると、その設定コマンドに基づいて、他の画像処理装置に記憶されている設定情報２１０，３０を変更し（Ｓ３１）、終了する。
【００８５】
［他の実施の形態］
なお、本発明は、上記各実施の形態に限定されず、本発明の趣旨を逸脱しない範囲内で種々な変形が可能である。例えば、上記各実施の形態では、スキャナ２及びプリンタ３のように、それぞれスキャン、プリンタの単一の機能を有する装置を対象として設定値を変更したが、例えば、スキャン、プリント等の複数の機能を有する複合機を対象としてもよい。この場合には、第２の実施の形態において、画像処理装置群を機能毎に区分けする際、複合機はスキャナ及びプリンタの両方に属することとなる。
【００８６】
また、上記各実施の形態では、スキャナ２が有する設定情報管理手段、設定情報取得手段、設定シート生成手段及び設定コマンド生成手段を、制御部と画像処理プログラムとによって実現したが、それらの一部または全部を特定用途向け集積回路（ＡＳＩＣ：Application Specific IＣ）等のハードウェアによって実現してもよい。
【００８７】
また、上記各実施の形態では、スキャナ２の記憶部２１に画像処理プログラムが記憶されていたが、プリンタ３が備える記憶部に画像処理プログラムを記憶し、プリンタ３の制御部と画像処理プログラムとによって、上記各実施の形態と同様の設定情報管理手段、設定情報取得手段、設定シート生成手段及び設定コマンド生成手段を実現してもよい。
【００８８】
また、上記各実施の形態で使用される画像処理プログラムは、ＣＤ−ＲＯＭ等の記録媒体から装置内の記憶部に読み込んでもよく、インターネット等のネットワークに接続されているサーバ等から装置内の記憶部にダウンロードしてもよい。
【００８９】
また、本発明の趣旨を逸脱しない範囲内で上記各実施の形態の構成要素を任意に組み合わせることができる。例えば、上記各実施の形態における画像処理システム１は、スキャナ及びプリンタが有する機能やデータ等を画像処理システム１全体として備えていればよく、それらの機能やデータ等が、１つの装置（例えば、複合機）に備えられていてもよいし、３つ以上の装置（例えば、さらにサーバ等の管理装置を追加した構成）に分割して備えられていてもよい。
【図面の簡単な説明】
【００９０】
【図１】図１は、第１の実施の形態に係る画像処理システムの概略構成の一例を示す全体図である。
【図２】図２（ａ）は、スキャナ設定情報の一例を示す図であり、図２（ｂ）は、プリンタ設定情報の一例を示す図である。
【図３】図３は、第１の実施の形態に係るスキャナの概略構成の一例を示すブロック図である。
【図４】図４は、設定一覧テーブルの一例を示す図である。
【図５】図５は、共通項目指定シートの一例を示す図である。
【図６】図６（ａ）は、共通設定シートの一例を示す図であり、図６（ｂ）は、固有設定シートの一例を示す図である。
【図７】図７は、第１の実施の形態に係る画像処理システムにおける全体の動作の一例を示すフローチャートである。
【図８】図８（ａ）は、共通項目指定シートの印刷データ生成処理の一例を示すフローチャートであり、図８（ｂ）は、共通設定シートの印刷データ生成処理の一例を示すフローチャートである。
【図９】図９は、設定コマンドの送信処理の一例を示すフローチャートである。
【図１０】図１０は、第２の実施の形態に係るスキャナの概略構成の一例を示すブロック図である。
【図１１】図１１（ａ）は、全装置一覧テーブルの一例を示す図であり、図１１（ｂ）は、スキャナ一覧テーブルの一例を示す図であり、図１１（ｃ）は、プリンタ一覧テーブルの一例を示す図である。
【図１２】図１２（ａ）は、共通設定シートの一例を示す図であり、図１２（ｂ）は、固有設定シートの一例を示す図である。
【図１３】図１３は、第２の実施の形態に係る画像処理システムにおける全体の動作の一例を示すフローチャートである。
【図１４】共通設定シートの印刷データ生成処理の一例を示すフローチャートである。
【符号の説明】
【００９１】
１…画像処理システム、２，２−１〜２−ｎ…スキャナ、３，３−１〜３−ｎ…プリンタ、４…ネットワーク、１１…共通項目指定シート、１２Ａ，１２Ｂ…共通設定シート、１３Ａ，１３Ｂ…固有設定シート、２０…制御部、２１…記憶部、２２…通信部、２３…操作表示部、２３…読取部、２４…読取部、３０…プリンタ設定情報、３０ａ…ネットワーク設定項目、３０ｂ…プリンタ設定項目、１１０Ａ…ネットワーク設定項目、１１０Ｂ…スキャナ設定項目、１１０Ｃ…プリンタ設定項目、１１１…チェックボックス、１１２…チェックマーク、１２０Ａ…ネットワーク設定項目、１２０Ｂ…スキャナ設定項目、１２０Ｃ…プリンタ設定項目、１２１…候補、１２２…チェックボックス、１３０Ａ…ネットワーク設定項目、１３０Ｂ…プリンタ設定項目、１３１…候補、１３２…チェックボックス、１３３…装置ＩＤ、１３４Ａ，１３４Ｂ…現在値、１３５Ａ，１３５Ｂ…環境値、１３６Ａ，１３６Ｂ…共通率、２００Ａ，２００Ｂ…設定情報管理手段、２０１…設定情報取得手段、２０２…設定シート生成手段、２０３…設定コマンド生成手段、２１０…スキャナ設定情報、２１０ａ…ネットワーク設定項目、２１０ｂ…スキャナ設定項目、２１１Ａ，２１１Ｂ…設定一覧テーブル、２１２Ａ，２１２Ｂ…画像処理プログラム、２１３…画像データ記憶領域、２１１０…全装置一覧テーブル、２１１１…スキャナ一覧テーブル、２１１２…プリンタ一覧テーブル
【図１】
2009212694.tif 000003
【図２】
2009212694.tif 000004
【図３】
2009212694.tif 000005
【図４】
2009212694.tif 000006
【図５】
2009212694.tif 000007
【図６】
2009212694.tif 000008
【図７】
2009212694.tif 000009
【図８】
2009212694.tif 000010
【図９】
2009212694.tif 000011
【図１０】
2009212694.tif 000012
【図１１】
2009212694.tif 000013
【図１２】
2009212694.tif 000014
【図１３】
2009212694.tif 000015
【図１４】
2009212694.tif 000016